(57)【要約】【課題】特定の情報を自動的に通知する機能を備えた活動量計であって、通知により熟睡中のユーザの睡眠を阻害する可能性が少ない活動量計を実現する。【解決手段】活動量計（１００）は、ユーザの睡眠レベルを繰り返し検出する睡眠レベル判定部（１１２）と、直近の上記睡眠レベルが規定レベル未満になっている期間に限って特定の情報を自動的に上記ユーザに通知する通知処理部（１１３）と、を備える。【選択図】図１
2015058308.tif 000002
【特許請求の範囲】
【請求項１】
ユーザが身に着ける活動量計であって、
上記ユーザの睡眠レベルを繰り返し判定する判定手段と、
直近の上記睡眠レベルが規定レベル未満である期間に限って、特定の情報を自動的に上記ユーザに通知する通知手段と、を備えていることを特徴とする活動量計。
【請求項２】
電話に着信があった旨を示す情報を上記電話から受信する受信手段を更に備え、
上記通知手段は、直近の上記睡眠レベルが、上記ユーザが特定の状態にないことを示している期間に限って、上記特定の情報として上記電話に着信があった旨を示す情報を通知するように構成されており、
上記特定の状態は、睡眠状態または熟睡状態である、ことを特徴とする請求項１に記載の活動量計。
【請求項３】
上記通知手段は、上記受信手段が上記電話に着信があった旨を示す情報を受信した時点における直近の上記睡眠レベルによって上記ユーザが上記特定の状態にあることが示されている場合には、当該時点で受信した当該情報を、直近の上記睡眠レベルによって上記ユーザが上記特定の状態にないことが示されている期間の開始時に、上記ユーザに通知するように構成されている、ことを特徴とする請求項２に記載の活動量計。
【請求項４】
上記電話を制御する制御手段を更に備え、
上記電話は、着信があった場合に、着信があった旨を示す情報を上記活動量計に送信してから着信音を出力するようになっており、
上記制御手段は、当該情報を受け付けた時点における直近の上記睡眠レベルが、上記ユーザが熟睡状態にあることを示すレベルである場合に限って、上記電話に上記着信音を出力させないように上記電話を制御するように構成されている、ことを特徴とする請求項２または３に記載の活動量計。
【請求項５】
上記制御手段は、上記着信があった旨を示す情報が特定の相手から着信があった旨を示す場合には、上記電話に上記着信音を出力させないための上記電話の制御を行わないように構成されている、ことを特徴とする請求項４に記載の活動量計。
【発明の詳細な説明】
【技術分野】
【０００１】
本発明は、主に、活動量計、および、活動量計として機能する携帯端末に関する。
【背景技術】
【０００２】
健康志向が高まるに伴い、今日では、活動量計に関する様々な技術が開発されている（例えば、特許文献１参照）。
【０００３】
活動量計の中には、消費カロリー、歩数、運動強度（ＭＥＴＳ）、および、睡眠の質を測定できるものや、これらに関する日々のデータをＰＣ（パーソナルコンピュータ）、スマートフォンまたは所定のサーバに記録させることができるものも存在する。
【０００４】
また、活動量計には、様々な情報をユーザに通知するためのデバイス（例えば、バイブ、ブザー、ＬＣＤ、ＬＥＤ等）が設けられているが、活動量に関する情報を定期的にユーザに通知するものも存在する。
【０００５】
このような活動量計には、自身の活動量に対するユーザの意識を高めることができるという利点がある。
【先行技術文献】
【特許文献】
【０００６】
【特許文献１】特開２０１３−１０２８７０号公報（２０１３年５月３０日公開）
【発明の概要】
【発明が解決しようとする課題】
【０００７】
ところで、睡眠の質を測定する機能を備えた活動量計のユーザは、睡眠中であっても活動量計を身に着けていると考えられる。また、睡眠の質を測定する機能を備えていない活動量計のユーザも、公共交通機関での移動中に活動量計を身に着けたまま睡眠をとることがあり得る。
【０００８】
したがって、定期的に音または振動により測定結果をユーザに通知する機能を備えた活動量計には、測定結果を睡眠中のユーザに通知してしまうことで、ユーザの睡眠を阻害してしまうという問題があると言える。
【０００９】
本発明は、上記課題に鑑みて成されたものであり、その主な目的は、特定の情報を自動的に通知する機能を備えた活動量計であって、通知により熟睡中のユーザの睡眠を阻害する可能性の少ない活動量計を実現することにある。
【課題を解決するための手段】
【００１０】
上記の課題を解決するために、本発明の一態様に係る活動量計は、ユーザが身に着ける活動量計であって、上記ユーザの睡眠レベルを繰り返し判定する判定手段と、直近の上記睡眠レベルが規定レベル未満である期間に限って、特定の情報を自動的に上記ユーザに通知する通知手段と、を備えていることを特徴とする。
【発明の効果】
【００１１】
本発明に係る活動量計は特定の情報を自動的に通知する機能を備えた活動量計であるが、この活動量計には、通知により熟睡中のユーザの睡眠を阻害する可能性が少ない、という利点がある。
【図面の簡単な説明】
【００１２】
【図１】本発明の実施形態１に係る活動量計およびスマートフォンの要部構成を示したブロック図である。
【図２】図１の活動量計およびスマートフォンの外観図である。
【図３】図１の活動量計が測定する睡眠レベルをグラフ形式で例示した図である。
【図４】図１の活動量計によるユーザに対する通知の動作を示すフローチャート図である。
【図５】本発明の実施形態２に係る活動量計およびスマートフォンの要部構成を示した図である。
【図６】図５の活動量計によるユーザに対する通知の動作を示すフローチャート図である。
【図７】本発明の実施形態３に係る活動量計およびスマートフォンの要部構成を示したブロック図である。
【図８】図７の活動量計およびスマートフォンの外観図である。
【図９】図７の活動量計によるユーザに対する通知の動作を示すフローチャート図である。
【発明を実施するための形態】
【００１３】
〔実施形態１〕
本発明の一実施形態に係る活動量計およびスマートフォンについて図１〜図４を参照しながら説明する。
【００１４】
最初に、本実施形態に係る活動量計およびスマートフォンの構成について図１〜図３を参照しながら説明する。
【００１５】
図１は、本実施形態に係る活動量計およびスマートフォンの要部構成を示したブロック図である。図２は、本実施形態に係る活動量計およびスマートフォンの外観図である。図３は、本実施形態に係る活動量計が測定する睡眠レベルをグラフ形式で例示した図である。
【００１６】
（活動量計１００）
図１に示すように、本実施形態に係る活動量計１００は、ＣＰＵ１１０、加速度センサ１２０、表示部１３０、通信モジュール１４０、ブザー１５０、ＬＥＤ素子１６０、バイブレーションユニット１７０、および、メモリ１８０を備えている。
【００１７】
また、図２に示すように、活動量計１００は、装着具としてリストバンドを備えた専用の活動量計である。
【００１８】
なお、本発明に係る活動量計は、専用の活動量計ではなく、活動量測定機能を含む様々な機能を備えた携帯端末であってもよい。例えば、本発明に係る活動量計は、ＣＰＵ１１０、加速度センサ１２０、表示部１３０、通信モジュール１４０、ブザー１５０、ＬＥＤ素子１６０、バイブレーションユニット１７０、および、メモリ１８０を備えたスマートフォン（あるいは、フィーチャーフォン、タブレット端末、モバイルＰＣ等）であってもよい。
【００１９】
また、活動量計１００は、リストバンド以外の他の種類の装着具（例えば、クリップ、ストラップ、または、首掛け具）を備えていてもよい。
【００２０】
（ＣＰＵ１１０）
ＣＰＵ１１０は、活動量計１００の電源がオンにされた後にメモリ１８０からプログラムを読み出すことによって、活動量測定部１１１、睡眠レベル判定部１１２、通知処理部１１３および設定情報取得部１１４として機能するようになる。
【００２１】
（活動量測定部１１１）
活動量測定部１１１は、加速度センサ１２０からの情報に基づいて、活動量を測定する。ここで、活動量とは、ユーザの活動の激しさを定量化した数値であり、歩数、運動量（METs、Metabolic equivalents）、エクササイズ（EX）量、歩行距離、歩行ペース、消費カロリー、ウォーキング歩数（３METs以上の運動量を有する歩数）、ジョギング歩数（６METs以上の運動量を有する歩数）、活動時間（３METs以上の運動量を有して活動した時間）などがこれに該当する。
【００２２】
（睡眠レベル判定部１１２）
睡眠レベル判定部１１２（判定手段）は、加速度センサ１２０からの情報に基づいて、数分から数十分の周期Ｔで周期的に（例えば、５分毎に）、直近の期間Ｔ（例えば、直近の５分間）におけるユーザの睡眠レベルを判定する。
【００２３】
具体的には、睡眠レベル判定部１１２は、ユーザが起きている時はユーザの睡眠レベルを「０」と判定し、ユーザが寝ている時は、その睡眠の深さに応じて、ユーザの睡眠レベルを「１」「２」「３」または「４」と判定する。
【００２４】
そして、睡眠レベル判定部１１２は、睡眠レベルの判定の度に、判定結果を示す情報をメモリ１８０に保存する。その結果、メモリ１８０には、図３に例示されるような、現在までのユーザの睡眠レベルに関する情報が、常に保持されることになる。
【００２５】
なお、睡眠レベル判定部１１２は、ユーザの睡眠レベルを５段階で示す構成に限定されない。すなわち、ユーザの睡眠レベルをＮ段階（Ｎ≧６）で示す構成であっても、ユーザの睡眠レベルを２段階、３段階または４段階で示す構成であってもよい。例えば、睡眠レベル判定部１１２は、ユーザが起きている時はユーザの睡眠レベルを「０」と判定し、ユーザが寝ている時はユーザの睡眠レベルを「１」と判定するように構成されていてもよい。
【００２６】
また、睡眠レベル判定部１１２は、加速度センサ１２０からの情報だけでなく、１または複数の他の種類のセンサからの情報、および／または、マイク入力からの信号に基づいて、直近の期間Ｔにおけるユーザの睡眠レベルを判定してもよい。なお、他の種類のセンサとしては、例えば、心拍センサ、脈拍センサ、温度センサなどが挙げられる。
【００２７】
（通知処理部１１３）
通知処理部１１３（通知手段）は、メモリ１８０内の設定情報に基づき、ユーザがスマートフォン２００を用いて設定した時刻（後述のデフォルト駆動開始時刻）になると、ユーザに対し、活動量測定部１１１の現在までの活動量の測定値に基づく通知を行う。具体的には、通知処理部１１３は、通知すべき内容を表示部１３０に表示するとともに、ブザー１５０、ＬＥＤ素子１６０またはバイブレーションユニット１７０を駆動させる。
【００２８】
また、通知処理部１１３（受信手段）は、スマートフォン２００から着信通知を受信すると、スマートフォン２００に着信があった旨を示す情報を表示部１３０に表示し、ブザー１５０、ＬＥＤ素子１６０またはバイブレーションユニット１７０を駆動させる。
【００２９】
なお、通知処理部１１３は、ユーザにより設定された時刻における直近の期間Ｔにおけるユーザの睡眠レベルが所定の閾値ＴＨ（具体的には、「１」）以上である場合には、通知を行わないようになっている。スマートフォン２００から着信通知を受信した時刻における直近の期間Ｔにおけるユーザの睡眠レベルが所定の閾値ＴＨ以上である場合も同様である。
【００３０】
（設定情報取得部１１４）
設定情報取得部１１４は、後述のデフォルト駆動開始時刻を示す情報を含む設定情報をスマートフォン２００から取得し、メモリ１８０に保存する。
【００３１】
（加速度センサ１２０）
加速度センサ１２０は、３軸センサである。なお、加速度センサ１２０は、１軸センサであっても、２軸センサであってもよいが、３軸センサ以上（例えば、６軸センサまたは９軸センサ）であることが望ましい。
【００３２】
（表示部１３０）
表示部１３０は、ユーザの活動量に関する情報が表示されるディスプレイである。
【００３３】
（通信モジュール１４０）
通信モジュール１４０（受信手段）は、スマートフォン２００との間で通信を行うために設けられた近距離通信用のデバイスである。通信モジュール１４０は、Bluetooth（登録商標）通信モジュールであってもよいし、赤外線通信モジュールであってもよいし、ＷｉＦｉ通信モジュールであってもよいし、ＡＮＴ通信モジュールであってもよいし、その他の通信モジュールであってもよい。また、Bluetooth（登録商標）通信モジュールは、例えば、Bluetooth（登録商標）４．０（いわゆる、Bluetooth Low Energy）用の通信モジュールであってもよい。
【００３４】
（ブザー１５０）
ブザー１５０は、活動量計１００が備える３つの通知デバイスのうちの１つであり、通知処理部１１３からの制御によってブザー音を鳴らす。
【００３５】
（ＬＥＤ素子１６０）
ＬＥＤ素子１６０は、活動量計１００が備える３つの通知デバイスのうちの１つであり、通知処理部１１３からの制御によって発光する。
【００３６】
（バイブレーションユニット１７０）
バイブレーションユニット１７０は、活動量計１００が備える３つの通知デバイスのうちの１つであり、通知処理部１１３からの制御によって活動量計１００を振動させる。
【００３７】
（メモリ１８０）
メモリ１８０には、プログラムが予め保存されている記録デバイスである。メモリ１８０には、上記の設定情報が保存される。
【００３８】
以上、活動量計１００の構成について説明した。なお、活動量計１００が備える通知デバイスの数は上記３つに限られない。すなわち、活動量計１００には、通知デバイスが４つ以上備えられていてもよいし、通知デバイスが１つまたは２つしか備えられていなくともよい。また、活動量計１００には、駆動中の通知デバイスを停止させる物理スイッチが設けられていてもよい。
【００３９】
次に、スマートフォン２００の構成について説明する。
【００４０】
（スマートフォン２００）
図１に示すように、スマートフォン２００は、ＣＰＵ２１０、通信モジュール２２０、２３０、タッチパネル式表示部２４０、ＬＥＤ素子２５０、バイブレーションユニット２６０、スピーカ２７０、およびメモリ２８０を備えている。
【００４１】
（ＣＰＵ２１０）
ＣＰＵ２１０は、スマートフォン２００の電源がオンにされた後にメモリ１８０からプログラムを読み出すことによって、着信処理部２１１として機能するようになる。また、ＣＰＵ２１０は、ユーザが活動量計１００用のアプリケーション（以下、「アプリ」と略称する）を起動させる操作を行った後に、メモリ２８０からそのアプリのプログラムを読み出すことによって、活動量計設定処理部２１２として機能するようになる。
【００４２】
（着信処理部２１１）
着信処理部２１１は、音声着信またはメール着信があった場合、着信画面をタッチパネル式表示部２４０に表示し、着信があった旨を図２に示すように活動量計１００に通知するとともに、スマートフォン２００の着信設定に応じた以下の処理を行う。
【００４３】
すなわち、着信処理部２１１は、バイブレーションユニット２６０を振動させるための処理か、スピーカ２７０から着信音を鳴らすための処理か、または、その両方の処理を行う。
【００４４】
（活動量計設定処理部２１２）
活動量計設定処理部２１２は、活動量計１００用のアプリの設定画面におけるユーザ操作に応じた設定情報を、図２に示すように活動量計１００に送信する。具体的には、以下の４点を示す設定情報を活動量計１００に送信することで、活動量計１００が備える通知デバイスの設定を行う。
・活動量計１００が備える３つの通知デバイスのうちのどの通知デバイスを通知に使用するデバイス（以下、「対象デバイス」と称する）とするか
・対象デバイスのデフォルト駆動開始時刻（例えば、毎晩１０時）及びデフォルト駆動終了時刻（例えば、毎晩１０時１分）
・対象デバイスによって、活動量計１００の測定結果に関するどのような情報を通知するか
・対象デバイスによって直近の一定期間内の運動量に関する情報を通知する場合における、当該一定期間の長さを示す値Ｌ
（通信モジュール２２０）
通信モジュール２２０は、キャリアが管理している基地局との間で通信を行う通信モジュールである。なお、通信モジュール２２０は、３Ｇ通信モジュールであってもよいし、ＷｉＭＡＸ通信モジュールであってもよいし、ＬＴＥ通信モジュールであってもよいし、ＰＨＳ通信モジュールであってもよいし、その他の通信モジュールであってもよい。
【００４５】
（通信モジュール２３０）
通信モジュール２３０は、近距離通信用のデバイスである。通信モジュール２３０は、赤外線モジュールであってもよいし、Bluetooth（登録商標）通信モジュールであってもよいし、ＡＮＴ通信モジュールであってもよいし、その他の通信モジュールであってもよい。また、Bluetooth（登録商標）通信モジュールは、例えば、Bluetooth（登録商標）４．０（いわゆる、Bluetooth Low Energy）用の通信モジュールであってもよい。
その他の種類の無線通信モジュールであってもよい。
【００４６】
（タッチパネル式表示部２４０）
タッチパネル式表示部２４０は、入力デバイスとしても機能する表示デバイスである。
【００４７】
（ＬＥＤ素子２５０）
ＬＥＤ素子２５０は、着信処理部２１１からの制御によって発光する。
【００４８】
（バイブレーションユニット２６０）
バイブレーションユニット２６０は、着信処理部２１１からの制御によってスマートフォン２００を振動させる。
【００４９】
（スピーカ２７０）
スピーカ２７０は、音声を出力する音声出力デバイスである。スピーカ２７０は、着信処理部２１１からの制御によって着信音を出力する。
【００５０】
（メモリ２８０）
メモリ２８０は、様々なプログラムが保存されている記録デバイスである。
【００５１】
以上、スマートフォン２００の構成について説明した。
【００５２】
なお、活動量計１００用のアプリには、ユーザの操作により、活動量計１００が備える駆動中の通知デバイスを停止させる機能が設けられていてもよい。
【００５３】
（活動量計１００の動作）
次に、活動量計１００が測定結果に関する情報をユーザに通知する動作について図４を参照しながら説明する。なお、活動量計１００は、公知の活動量計と同様の測定動作を行うが、ここでは、活動量計１００の測定動作については触れないこととする。
【００５４】
また、活動量計１００は、直近の１日の運動量が不足している場合に運動量が不足している旨を示す情報を通知する処理を、毎日行うように対象デバイスが設定されているものとする。すなわち、前述のＬの値は「１日」になっているものとする。
【００５５】
図４は、活動量計１００によるユーザに対する通知の動作を示すフローチャート図である。
【００５６】
通知処理部１１３は、図４に示すように、現在時刻がユーザに設定された時刻（具体的には、対象デバイスの駆動開始時刻）であるか否かを判定する（ステップＳ１）。
【００５７】
活動量計１００は、ステップＳ１にて現在時刻が対象デバイスの駆動開始時刻であると判定した場合にはステップＳ２に進み、ステップＳ１にて現在時刻が対象デバイスの駆動開始時刻でないと判定した場合にはステップＳ３に進む。
【００５８】
ステップＳ２にて、活動量測定部１１１は、直近の一定期間内の運動量（具体的には、直近１日の運動量）が規定の閾値以下であるか否かを判定する。
【００５９】
活動量計１００は、ステップＳ２にて直近１日の運動量が規定の閾値以下であると判定した場合にはステップＳ４に進み、ステップＳ２にて直近１日の運動量が規定の閾値より多いと判定した場合にはステップＳ３に進む。
【００６０】
ステップＳ３にて、通知処理部１１３は、スマートフォン２００から着信通知を受信したか否かを判定する。
【００６１】
活動量計１００は、ステップＳ３にてスマートフォン２００から着信通知を受信したと判定した場合にはステップＳ４に進み、ステップＳ３にてスマートフォン２００から着信通知を受信していないと判定した場合にはステップＳ１に戻る。
【００６２】
ステップＳ４にて、睡眠レベル判定部１１２は、ユーザの直近の睡眠レベルの判定結果を特定する。活動量計１００は、直近の睡眠レベルが閾値ＴＨ（具体的には、「１」）未満であることを判定結果が示す場合にはステップＳ５に進み、直近の睡眠レベルが閾値ＴＨ以上であることを判定結果が示す場合には、図４のフローチャートに従った処理を終了する。
【００６３】
ステップＳ５において、通知処理部１１３は、ユーザが通知の内容を認識できるように対象デバイスを動作させる。ここで、直近のステップＳ３の直前のステップがステップＳ１である場合における通知の内容とは、直近の１日の運動量が不足している、という内容である。また、直近のステップＳ３の直前のステップがステップＳ２である場合における通知の内容とは、スマートフォン２００に着信があったという内容である。
【００６４】
なお、対象デバイスがブザー１５０である場合におけるステップＳ５に関し、通知処理部１１３は、通知の内容に応じて、ブザー１５０が鳴らすブザー音を異ならせてもよい。また、対象デバイスがＬＥＤ素子１６０である場合におけるステップＳ５に関し、通知処理部１１３は、通知の内容に応じて、ＬＥＤ素子１６０の発光パターンおよび／または発光色を異ならせてもよい。同様に、対象デバイスがバイブレーションユニット１７０である場合におけるステップＳ５に関し、通知処理部１１３は、通知の内容に応じて、バイブレーションユニット１７０の振動パターンを異ならせてもよい。
【００６５】
ステップＳ５の後、活動量計１００は、図４のフローチャートに従った処理を終了する。
【００６６】
なお、活動量計１００は、図４のフローチャートに従った処理を終了すると、改めて図４のフローチャートに従った処理を開始するようになっている。
【００６７】
以上の活動量計１００の動作の説明（特にステップＳ４およびＳ５の説明）からわかるように、活動量計１００は、ユーザが起きていると判定した場合に限り、ユーザが通知の内容を認識できるように対象デバイスを動作させるように構成されている。
【００６８】
（実施形態１および後述の各実施形態に関する付記事項１）
実施形態１では閾値ＴＨを「１」としたが、閾値ＴＨは「１」でなくてもよい。例えば、閾値ＴＨは「３」であってもよい。即ち、活動量計は、ユーザが起きていると判定した場合、及び、ユーザの眠りが浅いと判定した場合に限り、ユーザ（起きているユーザ、又は、対象デバイスの動作により目覚めたユーザ）が通知の内容を認識できるように対象デバイスを動作させてもよい。
【００６９】
（実施形態１および後述の各実施形態に関する付記事項２）
着信処理部は、通話またはメールがスマートフォンに着信した場合、着信があった旨を示すメッセージと着信相手を特定するための情報（例えば、着信相手の電話番号や氏名）とを含む通知情報を、活動量計に送信してもよい。
【００７０】
そして、通知処理部は、通知情報に含まれている着信相手を特定するための情報が特定の相手を示す場合、直近の睡眠レベルの高低に関わらず、通知情報の受信時点で、ユーザがスマートフォンに着信があった旨を認識できるように対象デバイスを動作させてもよい。
【００７１】
なお、通知情報に含まれている着信相手を特定するための情報が特定の相手を示すケースの一例としては、着信相手の電話番号または氏名が活動量計に登録されているケースが挙げられる。また、活動量計は、電話番号または氏名の登録を受け付ける操作受付部（図示せず）を備えていてもよい。
【００７２】
（実施形態１および後述の各実施形態に関する付記事項３）
スマートフォンは、閾値ＴＨを、活動量計用のアプリの設定画面を通じて設定できるように構成されていてもよい。また、スマートフォンは、ユーザが通知デバイスに複数の種類の通知を行わせるための設定を行う場合において、閾値ＴＨを、通知の種類毎に設定できるように構成されていてもよい。
【００７３】
例えば、スマートフォンは、運動量が不足している旨を示す情報の通知については閾値ＴＨとして「１」を設定し、スマートフォンに着信があった旨の通知については閾値ＴＨとして「３」を設定できるように構成されていてもよい。
【００７４】
この場合、通知処理部は、直近の睡眠レベルが、ユーザが睡眠状態にないことを示している期間に限って、運動量が不足している旨を示す情報を通知し、直近の睡眠レベルが、ユーザが熟睡状態にないことを示している期間に限って、スマートフォンに着信があった旨を示す情報を通知することになる。
【００７５】
（実施形態１および後述の各実施形態に関する付記事項４）
スマートフォンは、目覚ましの設定時刻になったときに、目覚ましの設定時刻になった旨を示す情報を活動量計に通知してもよい。この場合、この通知を受けた活動量計の通知処理部は、通知を受けた時点の直近の睡眠レベルの高低に関わらず、通知された情報を表示部１３０に表示するとともに、対象デバイスを駆動させる。
【００７６】
また、スマートフォンは、災害情報（例えば、緊急地震速報）を受信すると、災害情報を受信した旨を示す情報を活動量計に通知してもよい。この場合、この通知を受けた活動量計の通知処理部は、通知を受けた時点の直近の睡眠レベルの高低に関わらず、通知された情報を表示部１３０に表示するとともに、対象デバイスを駆動させる。
【００７７】
（実施形態１および後述の各実施形態に関する付記事項５）
本発明を実施するために、スマートフォン２００の代わりに、スマートフォン２００と同様の特徴を備えた他の種類のモバイル機器（例えば、フィーチャーフォン、タブレット端末、モバイルＰＣ等）を用いてもよい。
【００７８】
（活動量計１００の利点）
以上のように、活動量計１００は、活動量計１００を身に着けているユーザの睡眠レベルを繰り返し判定する睡眠レベル判定部１１２と、直近の上記睡眠レベルが規定レベル未満になっている期間に限って特定の情報（本実施形態では、運動量が不足している旨を示す情報およびスマートフォン２００に着信があった旨を示す情報）を自動的に上記ユーザに通知する通知処理部１１３と、を備えている。
【００７９】
上記の構成によれば、活動量計１００は、上記ユーザの直近の睡眠レベルが規定レベル以上になっている期間には、上記特定の情報を上記ユーザに通知しない。
【００８０】
したがって、活動量計１００には、上記特定の情報の通知により熟睡中のユーザの睡眠を阻害する可能性が少ない、という利点がある。
【００８１】
〔実施形態２〕
本発明の他の実施形態に係る活動量計およびスマートフォンについて、図５および図６に基づいて説明すれば、以下のとおりである。なお、説明の便宜上、前記実施形態にて説明した部材と全く同じ機能または略同じ機能を有する部材については、同じ符号を付記し、原則としてその説明を省略する。
【００８２】
最初に、本実施形態に係る活動量計およびスマートフォンの構成について図５を参照しながら説明する。
【００８３】
図５は、本実施形態に係る活動量計およびスマートフォンの要部構成を示したブロック図である。
【００８４】
（活動量計１００ａ）
図５に示すように、本実施形態に係る活動量計１００ａは、ＣＰＵ１１０、加速度センサ１２０、表示部１３０、通信モジュール１４０、ブザー１５０、ＬＥＤ素子１６０、バイブレーションユニット１７０、および、メモリ１８０を備えている。
【００８５】
（ＣＰＵ１１０）
ＣＰＵ１１０は、活動量計１００ａの電源がオンにされると、活動量測定部１１１、睡眠レベル判定部１１２、通知処理部１１３ａおよび設定情報取得部１１４として機能するようになる。
【００８６】
（通知処理部１１３ａ）
通知処理部１１３ａは、ユーザがスマートフォン２００を用いて設定した時刻になると、ユーザに対し、活動量測定部１１１の現在までの活動量の測定値に基づく通知を行う。具体的には、通知処理部１１３ａは、通知すべき内容を表示部１３０に表示するとともに、ブザー１５０、ＬＥＤ素子１６０またはバイブレーションユニット１７０を駆動させる。
【００８７】
また、通知処理部１１３ａは、スマートフォン２００から着信通知を受信した場合、スマートフォン２００に着信があった旨を示す情報を表示部１３０に表示するとともに、ブザー１５０、ＬＥＤ素子１６０またはバイブレーションユニット１７０を駆動させる。
【００８８】
なお、通知処理部１１３ａは、ユーザにより設定された時刻における直近の期間Ｔにおけるユーザの睡眠レベルが所定の閾値ＴＨ以上である場合には、その後に直近の期間Ｔにおけるユーザの睡眠レベルが所定の閾値ＴＨ未満になった時点で、活動量の測定値に基づく通知を行う。スマートフォン２００から着信通知を受信した時刻における直近の期間Ｔにおけるユーザの睡眠レベルが所定の閾値ＴＨ以上である場合も同様である。
【００８９】
（スマートフォン２００）
本実施形態に係るスマートフォン２００の構成は、実施形態１に係るスマートフォン２００の構成と同一であるので、本実施形態に係るスマートフォン２００の構成についての説明は省略する。
【００９０】
（活動量計１００ａの動作）
次に、活動量計１００ａが測定結果に関する情報をユーザに通知する動作について図６を参照しながら説明する。
【００９１】
なお、活動量計１００ａは、活動量計１００と同様に、直近の１日の運動量が不足している場合に運動量が不足している旨を示す情報を通知する処理を、毎日行うように対象デバイスが設定されているものとする。すなわち、前述のＬの値は「１日」になっているものとする。
【００９２】
図６は、活動量計１００ａによるユーザに対する通知の動作を示すフローチャート図である。
【００９３】
通知処理部１１３ａは、図６に示すように、現在時刻がユーザに設定された時刻（具体的には、対象デバイスの駆動開始時刻）であるか否かを判定する（ステップＳ１１）。
【００９４】
活動量計１００ａは、ステップＳ１１にて現在時刻が対象デバイスの駆動開始時刻であると判定した場合にはステップＳ１２に進み、ステップＳ１１にて現在時刻が対象デバイスの駆動開始時刻でないと判定した場合にはステップＳ１３に進む。
【００９５】
ステップＳ１２にて、活動量測定部１１１は、直近の一定期間内の運動量（具体的には、直近１日の運動量）が規定の閾値以下であるか否かを判定する。
【００９６】
活動量計１００ａは、ステップＳ１２にて直近１日の運動量が規定の閾値以下であると判定した場合にはステップＳ１５に進み、ステップＳ１２にて直近１日の運動量が規定の閾値より多いと判定した場合にはステップＳ１３に進む。
【００９７】
ステップＳ１３にて、通知処理部１１３ａは、スマートフォン２００から着信通知を受信したか否かを判定する。
【００９８】
活動量計１００ａは、ステップＳ１３にてスマートフォン２００から着信通知を受信したと判定した場合にはステップＳ１５に進み、ステップＳ３にてスマートフォン２００から着信通知を受信していないと判定した場合にはステップＳ１４に進む。
【００９９】
ステップＳ１４にて、通知処理部１１３ａは、メモリ１８０に後述のイベントログが記録されているか否かを判定する。
【０１００】
活動量計１００ａは、ステップＳ１４にてメモリ１８０に上記イベントログが記録されていると判定した場合にはＳ１８に進み、ステップＳ１４にてメモリ１８０にイベントログが記録されていないと判定した場合にはＳ１１に戻る。
【０１０１】
ステップＳ１５にて、睡眠レベル判定部１１２は、ユーザの直近の睡眠レベルの判定結果を特定する。活動量計１００ａは、直近の睡眠レベルが閾値ＴＨ（具体的には、「１」）未満であることを判定結果が示す場合にはステップＳ１６に進み、直近の睡眠レベルが閾値ＴＨ以上であることを判定結果が示す場合にはステップＳ１７に進む。
【０１０２】
ステップＳ１６にて、通知処理部１１３ａは、ユーザが通知の内容を認識できるように対象デバイスを動作させる。ステップＳ１６の後、活動量計１００ａは、図６のフローチャートに従った処理を終了する。
【０１０３】
ステップＳ１７にて、通知処理部１１３ａは、現在時刻と、ユーザが直近の睡眠レベルが閾値ＴＨ未満になった時点で（すなわち、ユーザが目覚めてまもなく）通知すべき内容と、を含むイベントログをメモリ１８０に保存する。ステップＳ１７の後、活動量計１００ａは、ステップＳ１１に戻る。
【０１０４】
ステップＳ１８にて、睡眠レベル判定部１１２は、ユーザの直近の睡眠レベルの判定結果を特定する。活動量計１００ａは、直近の睡眠レベルが閾値ＴＨ未満であることを判定結果が示す場合にはステップＳ１９に進み、直近の睡眠レベルが閾値ＴＨ以上であることを判定結果が示す場合にはステップＳ１１に戻る。
【０１０５】
ステップＳ１９にて、通知処理部１１３ａは、メモリ１８０に保存されている１または複数のイベントログの各々について、該イベントログに含まれている通知の内容をユーザが認識できるように対象デバイスを動作させる。また、ステップＳ１９にて、通知処理部１１３ａは、メモリ１８０に保存されている全イベントログを削除する。ステップＳ１９の後、活動量計１００ａは、図６のフローチャートに従った処理を終了する。
【０１０６】
なお、活動量計１００ａは、図６のフローチャートに従った処理を終了すると、改めて図６のフローチャートに従った処理を開始するようになっている。
【０１０７】
以上の活動量計１００ａの動作の説明からわかるように、通知処理部１１３ａは、通信モジュール１４０が着信通知を受信した時点における直近の上記睡眠レベルが、ユーザが睡眠状態にあることを示している場合には、以下のように動作する。すなわち、通知処理部１１３ａは、受信した着信通知を、直近の上記睡眠レベルが、ユーザが睡眠状態にないことを示している期間の開始時に、ユーザに通知する。
【０１０８】
（活動量計１００ａの利点）
以上のように、活動量計１００ａも、活動量計１００と同様に、活動量計１００ａを身に着けているユーザの睡眠レベルを繰り返し判定する睡眠レベル判定部１１２と、直近の上記睡眠レベルが規定レベル未満になっている期間に限って特定の情報（本実施形態では、運動量が不足している旨を示す情報およびスマートフォン２００に着信があった旨を示す情報）を自動的に上記ユーザに通知する通知処理部１１３ａと、を備えている。
【０１０９】
したがって、活動量計１００と同様に、活動量計１００ａにも、上記特定の情報の通知により熟睡中のユーザの睡眠を阻害する可能性が少ない、という利点がある。
【０１１０】
加えて、上述のように、活動量計１００ａは、ユーザが熟睡している間に活動量計１００ａが通知を行うべき原因となる状況（例えば、スマートフォン２００における着信）が発生した場合、そのユーザが目覚めた後まもなく通知（例えば、着信通知）を行う。従って、活動量計１００ａは、ユーザが熟睡している間に活動量計１００ａが通知を行うべき原因となる状況が発生した場合、そのユーザが目覚めてからそれほど時間が経たないうちに、そのユーザに通知の内容を把握させることができるという更なる効果を奏する。
【０１１１】
〔実施形態３〕
本発明のさらに別の実施形態について、図７〜図９に基づいて説明すれば、以下のとおりである。なお、説明の便宜上、前記実施形態にて説明した部材と全く同じ機能または略同じ機能を有する部材については、同じ符号を付記し、その説明を省略する。
【０１１２】
最初に、本実施形態に係る活動量計およびスマートフォンの構成について図７および図８を参照しながら説明する。
【０１１３】
図７は、本実施形態に係る活動量計およびスマートフォンの要部構成を示したブロック図である。図８は、本実施形態に係る活動量計およびスマートフォンの外観図である。
【０１１４】
（活動量計１００ｂ）
図７に示すように、本実施形態に係る活動量計１００ｂは、ＣＰＵ１１０、加速度センサ１２０、表示部１３０、通信モジュール１４０、ブザー１５０、ＬＥＤ素子１６０、バイブレーションユニット１７０、および、メモリ１８０を備えている。
【０１１５】
（ＣＰＵ１１０）
ＣＰＵ１１０は、活動量計１００ｂの電源がオンにされると、活動量測定部１１１、睡眠レベル判定部１１２、通知処理部１１３、設定情報取得部１１４、および、スマートフォン制御部１１５として機能するようになる。
【０１１６】
（スマートフォン制御部１１５）
スマートフォン制御部１１５（制御手段）は、着信があった旨の通知をスマートフォン２００ａから受信すると、ユーザの直近の睡眠レベルの判定結果に基づいて、図８に示すように、スマートフォン２００ａにおける着信動作を制御する。
【０１１７】
具体的には、スマートフォン制御部１１５は、ユーザの直近の睡眠レベルが閾値ＴＨ以上である場合、着信音の出力およびバイブレーション動作を許可しない旨を示す制御情報をスマートフォン２００ａに送信する。なお、スマートフォン制御部１１５は、閾値ＴＨとは無関係に、ユーザの直近の睡眠レベルが３以上である場合に、着信音の出力およびバイブレーション動作を許可しない旨を示す制御情報をスマートフォン２００ａに送信してもよい。
【０１１８】
次に、スマートフォン２００ａの構成について説明する。
【０１１９】
（スマートフォン２００ａ）
図７に示すように、スマートフォン２００ａは、ＣＰＵ２１０、通信モジュール２２０、２３０、タッチパネル式表示部２４０、ＬＥＤ素子２５０、バイブレーションユニット２６０、スピーカ２７０、およびメモリ２８０を備えている。
【０１２０】
（ＣＰＵ２１０）
ＣＰＵ２１０は、スマートフォン２００の電源がオンにされた後に着信処理部２１１として機能するようになる。また、ユーザが活動量計１００ｂ用のアプリを起動させる操作を行った後、着信処理部２１１として機能していたＣＰＵ２１０は、着信処理部２１１ａおよび活動量計設定処理部２１２として機能するようになる。
【０１２１】
（着信処理部２１１ａ）
着信処理部２１１ａは、音声またはメールがスマートフォン２００に着信すると、着信画面をタッチパネル式表示部２４０に表示し、着信があった旨を図２に示すように活動量計１００ｂに通知する。
【０１２２】
そして、着信があった旨を通知してから一定期間内に着信音の出力およびバイブレーション動作を許可しない旨を示す制御情報を活動量計１００ｂから受信した場合を除き、当該期間の経過直後にスマートフォン２００ａの着信設定に応じた以下の処理を行う。
【０１２３】
すなわち、着信処理部２１１ａは、バイブレーションユニット２６０を振動させるための処理か、スピーカ２７０から着信音を鳴らすための処理か、または、その両方の処理を行う。
【０１２４】
以上、スマートフォン２００ａの構成について説明した。
【０１２５】
（活動量計１００ｂの動作）
次に、活動量計１００ｂが測定結果に関する情報をユーザに通知する動作について図９を参照しながら説明する。
【０１２６】
また、活動量計１００ｂは、活動量計１００、１００ａと同様に、直近の１日の運動量が不足している場合に運動量が不足している旨を示す情報を通知する処理を、毎日行うように対象デバイスが設定されているものとする。すなわち、前述のＬの値は「１日」になっているものとする。
【０１２７】
図９は、活動量計１００ｂによるユーザに対する通知の動作を示すフローチャート図である。
【０１２８】
活動量計１００ｂは、活動量計１００と全く同じように、ステップＳ１からステップＳ４までの処理を実行する。
【０１２９】
活動量計１００ｂは、直近の睡眠レベルが閾値ＴＨ（具体的には、「１」）未満であることを判定結果が示す場合にはステップＳ５に進み、直近の睡眠レベルが閾値ＴＨ以上であることを判定結果が示す場合には、ステップＳ７に進む。
【０１３０】
ステップＳ５において、通知処理部１１３は、ユーザが通知の内容を認識できるように対象デバイスを動作させる。ステップＳ５の後、活動量計１００ｂは、図９のフローチャートに従った処理を終了する。
【０１３１】
ステップＳ６において、通知処理部１１３は、通知の内容がスマートフォン２００ａに着信があった旨を示す内容であるか否かを確認する。
【０１３２】
活動量計１００ｂは、通知の内容がスマートフォン２００ａに着信があった旨を示す内容である場合にはステップＳ７に進み、通知の内容がスマートフォン２００ａに着信があった旨を示す内容でない場合には図９のフローチャートに従った処理を終了する。
【０１３３】
ステップＳ７において、スマートフォン制御部１１５は、着信音の出力およびバイブレーション動作を許可しない旨を示す制御情報をスマートフォン２００ａに送信する。ステップＳ７の後、活動量計１００ｂは、図９のフローチャートに従った処理を終了する。
【０１３４】
なお、活動量計１００ｂは、図９のフローチャートに従った処理を終了すると、改めて図９のフローチャートに従った処理を開始するようになっている。
【０１３５】
（実施形態３に関する付記事項１）
スマートフォン制御部１１５は、ユーザの直近の睡眠レベルが閾値ＴＨ未満である場合に、着信音の出力およびバイブレーション動作を許可する旨を示す制御情報をスマートフォン２００ａに送信してもよい。
【０１３６】
そして、着信処理部２１１ａは、着信があった旨を通知してから一定期間内に当該制御情報を活動量計１００ｂから受信した場合には、当該制御情報の受信直後にスマートフォン２００ａの着信設定に応じた前述の処理を行ってもよい。
【０１３７】
（実施形態３に関する付記事項２）
着信処理部２１１ａは、通話またはメールがスマートフォン２００ａに着信した場合、着信があった旨を示すメッセージと着信相手を特定するための情報とを含む通知情報を、活動量計１００ｂに送信してもよい。
【０１３８】
そして、スマートフォン制御部１１５は、通知情報に含まれている着信相手を特定するための情報が特定の相手を示す場合、直近の睡眠レベルの高低に関わらず、着信音の出力およびバイブレーション動作を許可する旨を示す制御情報をスマートフォン２００ａに送信してもよい。
【０１３９】
〔ソフトウェアによる実現例〕
活動量計１００（１００ａ、１００ｂ）の制御ブロック（特に、活動量測定部１１１、睡眠レベル判定部１１２、通知処理部１１３（１１３ａ）、設定情報取得部１１４、および、スマートフォン制御部１１５）、および、スマートフォン２００（２００ａ）の制御ブロック（特に、着信処理部２１１（２１１ａ）および活動量計設定処理部２１２）は、集積回路（ＩＣチップ）等に形成された論理回路（ハードウェア）によって実現してもよいし、ＣＰＵ（Central Processing Unit）を用いてソフトウェアによって実現してもよい。
【０１４０】
後者の場合、各装置は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１４１】
〔まとめ〕
本発明の態様１に係る活動量計（活動量計１００、１００ａ、１００ｂ）は、ユーザが身に着ける活動量計であって、上記ユーザの睡眠レベルを繰り返し判定する判定手段（睡眠レベル判定部１１２）と、直近の上記睡眠レベルが規定レベル（閾値ＴＨ）未満である期間に限って、特定の情報を自動的に上記ユーザに通知する通知手段（通知処理部１１３、１１３ａ）と、を備えている。
【０１４２】
上記の構成によれば、上記活動量計は、ユーザの直近の睡眠レベルが規定レベル以上になっている間（すなわち、上記ユーザが熟睡していると判定されている間）は、上記特定の情報を上記ユーザに通知しない。
【０１４３】
したがって、上記活動量計には、上記特定の情報の通知により熟睡中のユーザの睡眠を阻害する可能性が少ないという利点がある。
【０１４４】
本発明の態様２に係る活動量計は、上記態様１において、上記通知手段が、直近の上記睡眠レベルが、上記ユーザが特定の状態にないことを示している期間に限って、上記特定の情報として上記活動量計の測定結果に関する情報を通知するように構成されており、上記特定の状態は、睡眠状態または熟睡状態であってもよい。
【０１４５】
本発明の態様３に係る活動量計は、上記態様１において、電話（スマートフォン２００）に着信があった旨を示す情報を上記電話から受信する受信手段（通信モジュール１４０）を更に備え、上記通知手段は、直近の上記睡眠レベルが、上記ユーザが特定の状態にないことを示している期間に限って、上記特定の情報として上記電話に着信があった旨を示す情報を通知するように構成されており、上記特定の状態は、睡眠状態または熟睡状態であってもよい。
【０１４６】
本発明の態様４に係る活動量計（活動量計１００ａ）は、上記態様３において、上記通知手段（通知処理部１１３ａ）が、上記受信手段が上記電話に着信があった旨を示す情報を受信した時点における直近の上記睡眠レベルによって上記ユーザが上記特定の状態にあることが示されている場合には、当該時点で受信した当該情報を、直近の上記睡眠レベルによって上記ユーザが上記特定の状態にないことが示されている期間の開始時に、上記ユーザに通知するように構成されていてもよい。
【０１４７】
上記の構成によれば、ユーザが熟睡している間に上記電話に着信があった場合、上記活動量計は、そのユーザが目覚めた後（または眠りが浅くなった後）まもなく、上記電話に着信があった旨を示す情報をユーザに通知する。従って、上記活動量計は、ユーザが目覚めてからそれほど時間が経たないうちに、上記電話に着信があったことをユーザに認識させることができるという更なる効果を奏する。
【０１４８】
本発明の態様５に係る活動量計は、上記態様３または態様４において、上記通知手段は、上記着信があった旨を示す情報が特定の相手から着信があった旨を示す場合に限り、上記睡眠レベルの高低に関わりなく、上記着信があった旨を示す情報を通知するように構成されていてもよい。
【０１４９】
本発明の態様６に係る活動量計（活動量計１００ｂ）は、上記態様３〜上記態様５のいずれかの態様において、上記電話（スマートフォン２００ａ）を制御する制御手段（スマートフォン制御部１１５）を更に備え、上記電話は、着信があった場合に、着信があった旨を示す情報を上記活動量計に送信してから着信音を出力するようになっており、上記制御手段は、当該情報を受け付けた時点における直近の上記睡眠レベルが、上記ユーザが熟睡状態にあることを示すレベルである場合に限って、上記電話に上記着信音を出力させないように上記電話を制御するように構成されていてもよい。
【０１５０】
上記の構成によれば、ユーザが熟睡している間に上記電話に着信があった場合、上記活動量計は、上記電話が上記着信音を出力することを防止する。従って、上記活動量計は、上記電話が着信音によって上記ユーザの睡眠を阻害してしまうことを防ぐことができる、という更なる効果を奏する。
【０１５１】
本発明の態様７に係る活動量計は、上記態様６において、上記制御手段は、上記着信があった旨を示す情報が特定の相手から着信があった旨を示す場合には、上記電話に上記着信音を出力させないための上記電話の制御を行わないように構成されていてもよい。
【０１５２】
上記の構成によれば、上記活動量計は、ユーザが熟睡している間に上記電話に特定の相手以外の相手からの着信があった場合には、上記電話が上記着信音を出力することを防止するが、ユーザが熟睡している間に上記電話に特定の相手からの着信があった場合には、上記電話が上記着信音を出力することを防止しない。
【０１５３】
例えば、ユーザが出張中に電車内で熟睡している状況で上記電話に重要な相手（例えば、商談の相手）からの着信があった場合、上記活動量計は、上記電話が上記着信音を出力することを防止しない。また、例えば、ユーザが会社からの帰宅中に電車内で熟睡している状況で上記電話に重要な相手（例えば、妻）からの着信があった場合、上記活動量計は、上記電話が上記着信音を出力することを防止しない。
【０１５４】
したがって、上記活動量計は、ユーザが重要な相手からの着信を受け損ねてしまうことで、好機を逸したり、損害が発生したりすることを抑制できる、という更なる効果を奏する。
【０１５５】
本発明の態様８に係る活動量計は、上記態様１〜上記態様７のいずれかの態様において、バイブレーションユニットが設けられており、上記通知手段は、上記バイブレーションユニットを振動させることにより、上記特定の情報を上記ユーザに通知するように構成されていてもよい。
【０１５６】
本発明の態様９に係る活動量計は、上記態様１〜上記態様７のいずれかの態様において、ブザーが設けられており、上記通知手段は、上記ブザーを鳴らすことにより、上記特定の情報を上記ユーザに通知するように構成されていてもよい。
【０１５７】
本発明の態様１０に係る活動量計は、上記態様１〜上記態様９のいずれかの態様において、装着具が設けられていてもよい。
【０１５８】
本発明の態様１１に係る活動量計は、上記態様１０において、上記装着具が、リストバンド、クリップ、ストラップ、または、首掛け具であってもよい。
【０１５９】
本発明の態様１２に係る携帯端末は、活動量計として機能する携帯端末であって、上記態様１〜上記態様９のいずれかの態様に係る活動量計が備える各手段を備えていることを特徴とする携帯端末であってもよい。
【０１６０】
本発明の態様１２に係る携帯端末は、コンピュータによって実現してもよく、この場合には、コンピュータを上記携帯端末が備える各手段として動作させることにより上記携帯端末をコンピュータにて実現させるプログラム、およびそれを記録したコンピュータ読み取り可能な記録媒体も、本発明の範疇に入る。
【０１６１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１６２】
本発明は、活動量計に好適に利用することができる。
【符号の説明】
【０１６３】
１００、１００ａ、１００ｂ  活動量計
１１０                        ＣＰＵ
１１１                          活動量測定部
１１２                          睡眠レベル判定部（判定手段）
１１３、１１３ａ                通知処理部（通知手段、受信手段）
１１４                          設定情報取得部
１１５                          スマートフォン制御部（制御手段）
１４０                        通信モジュール（受信手段）
２００、２００ａ            スマートフォン（電話）
【図１】
2015058308.tif 000003
【図２】
2015058308.tif 000004
【図３】
2015058308.tif 000005
【図４】
2015058308.tif 000006
【図５】
2015058308.tif 000007
【図６】
2015058308.tif 000008
【図７】
2015058308.tif 000009
【図８】
2015058308.tif 000010
【図９】
2015058308.tif 000011
【手続補正書】
【提出日】平成26年12月2日(2014.12.2)
【手続補正１】
【補正対象書類名】特許請求の範囲
【補正対象項目名】全文
【補正方法】変更
【補正の内容】
【特許請求の範囲】
【請求項１】
ユーザが身に着ける活動量計であって、
上記ユーザの睡眠レベルを繰り返し判定する判定手段と、
直近の上記睡眠レベルが規定レベル未満である期間に限って、特定の情報を自動的に上記ユーザに通知する通知手段と、
電話に着信があった旨を示す情報を上記電話から受信する受信手段と、を備え、
上記通知手段は、直近の上記睡眠レベルが、上記ユーザが特定の状態にないことを示している期間に限って、上記特定の情報として上記電話に着信があった旨を示す情報を通知するように構成されており、
上記特定の状態は、睡眠状態または熟睡状態である、ことを特徴とする活動量計。
【請求項２】
上記通知手段は、上記受信手段が上記電話に着信があった旨を示す情報を受信した時点における直近の上記睡眠レベルによって上記ユーザが上記特定の状態にあることが示されている場合には、当該時点で受信した当該情報を、直近の上記睡眠レベルによって上記ユーザが上記特定の状態にないことが示されている期間の開始時に、上記ユーザに通知するように構成されている、ことを特徴とする請求項１に記載の活動量計。
【請求項３】
上記電話を制御する制御手段を更に備え、
上記電話は、着信があった場合に、着信があった旨を示す情報を上記活動量計に送信してから着信音を出力するようになっており、
上記制御手段は、当該情報を受け付けた時点における直近の上記睡眠レベルが、上記ユーザが熟睡状態にあることを示すレベルである場合に限って、上記電話に上記着信音を出力させないように上記電話を制御するように構成されている、ことを特徴とする請求項１または２に記載の活動量計。
【請求項４】
上記制御手段は、上記着信があった旨を示す情報が特定の相手から着信があった旨を示す場合には、上記電話に上記着信音を出力させないための上記電話の制御を行わないように構成されている、ことを特徴とする請求項３に記載の活動量計。
【請求項５】
上記着信があった旨を示す情報が特定の相手から着信があった旨を示す場合に、直近の上記睡眠レベルの高低に関わりなく、上記着信があった旨を示す情報をユーザに通知する第２通知手段を更に備えている、ことを特徴とする請求項１〜４のいずれか１項に記載の活動量計。